(57)【要約】【課題】  狭隘な設置スペースにも設置できるとともに、効率を向上させることができる発熱機器の置台を提供する。【解決手段】  屋外に設置される発熱機器１３の置台１であって、前記発熱機器１３の荷重を支持する荷重受部２と、吸水性を有するとともに、周囲の空気から熱を吸収して、吸水した水を気化させることにより、周囲の空気の温度を低下させる冷却部３とからなり、上部に前記発熱機器１３が載置される。冷却部３が吸水した水が、周囲の空気の熱を吸収して気化することにより、周囲の空気の温度が低下され、この温度が低下された周囲の空気により発熱機器１３が冷却されるので、発熱機器１３の効率を高めることができる。【選択図】  図１
2013032881.tif 000002
【特許請求の範囲】
【請求項１】
屋外に設置される発熱機器の置台であって、
前記発熱機器の荷重を支持する荷重受部と、吸水性を有するとともに、周囲の空気から熱を吸収して、吸水した水を気化させることにより、周囲の空気の温度を低下させる冷却部とからなり、上部に前記発熱機器が載置されることを特徴とする発熱機器の置台。
【請求項２】
前記荷重受部と前記冷却部とは、交互に設けられるとともに、全体が板状をなすように形成されていることを特徴とする請求項１に記載の発熱機器の置台。
【請求項３】
前記荷重受部は、普通コンクリート、合成樹脂、又は合成ゴムからなることを特徴とする請求項１又は２に記載の発熱機器の置台。
【請求項４】
前記冷却部は、ポーラスコンクリートからなることを特徴とする請求項１〜３の何れか１項に記載の発熱機器の置台。
【請求項５】
前記発熱機器は、空調装置の室外機であることを特徴とする請求項１〜４の何れか１項に記載の発熱機器の置台。
【発明の詳細な説明】
【技術分野】
【０００１】
本発明は、発熱機器の置台に関し、特に、室外（屋外）に設置される空調装置の室外機等の発熱機器に有効な発熱機器の置台に関する。
【背景技術】
【０００２】
近年、地球温暖化問題等を契機として省エネルギーに対する関心が高まっており、各種の施策や対策が実施されている。例えば、高効率家電機器の導入を支援する国の施策、空調装置の冷房温度を高値設定する一般家庭や職場等での対策、空調装置の室外機の温度上昇を抑制することにより、空調装置の効率を向上させる一般家庭や職場等での対策等、様々な取り組みが実施されている。
【０００３】
空調装置の室外機の温度上昇を抑制する方法の例が特許文献１〜３に記載されている。
特許文献１に記載の方法は、防炎シートとグラスウールとアルミ箔との三層構造の断熱マットを日除けとして用い、この断熱マットを室外機のファンの前方に斜めに設置することにより、室外機に直射日光が当たるのを防止し、室外機のフィン部の温度上昇によって冷房能力が低下するのを防止するように構成したものである。
【０００４】
また、特許文献２に記載の方法は、冷房時のセパレートエアコンの室内から排出される冷されたドレン水を利用し、このドレン水を室外機の上部に設けたドレンパンに回収し、ドレンパンに設けた孔を介して放熱板に滴下させることにより、放熱板の温度を低下させることにより、冷房時の熱交換の効率を高めることができるように構成したものである。
【０００５】
さらに、特許文献３に記載の方法は、貯水タンクの水を送水ポンプによって噴霧ノズルに供給するとともに、エアーブロワーで加圧した空気も供給し、両者を混合して噴霧ノズルから霧状にして噴霧し、この霧状の水を室外機に吸い込まれる空気とほぼ９０度の角度でぶつけて気化させ、吸い込み空気と一緒に室外機に流入させることにより、室外機の熱交換器を温度を低下させた吸い込み空気で冷却するように構成したものである。
【先行技術文献】
【特許文献】
【０００６】
【特許文献１】特開２００５−２２６９８３号公報
【特許文献２】特開２００４−３４０５０１号公報
【特許文献３】特開２０１１−４７６０１号公報
【発明の概要】
【発明が解決しようとする課題】
【０００７】
ところで、特許文献１に記載のような断熱マットを日除けとして用いる方法は、集合住宅の室外機置場等のように、設置スペースが狭隘な場合には、断熱マットを設置するスペースを確保することが難しく、適用することが難しい。また、断熱マットを設置するスペースを確保できたとしても、室外機からの高温の排気が再循環されるため、高温の排気の再循環を避ける何らかの工夫が必要になる。
【０００８】
また、特許文献２に記載の方法は、集合住宅の室外機置場等のように、設置スペースが狭隘な場合にも設置できるが、室外機の周囲の空気の温度を下げるのには十分でなく、セパレートエアコンの効率を十分に高めることができない。
【０００９】
さらに、特許文献３に記載の方法は、貯水タンク、送水ポンプ、噴霧ノズル、及びそれらの付帯設備が必要になるため、全体が大型化、複雑化し、集合住宅の室外機置場等のような狭隘なスペースに設置することは難しく、また、設備費も高くつく。
【００１０】
本発明は、上記のような従来の問題に鑑みなされたものであって、集合住宅の室外機置場等のように、設置スペースが狭隘の場合にも適用できて、十分な効率の向上を図ることができるとともに、設備費を安く抑えることができる発熱機器の置台を提供することを目的とする。
【課題を解決するための手段】
【００１１】
上記のような課題を解決するために、本発明は、以下のような手段を採用している。
すなわち、本発明は、屋外に設置される発熱機器の置台であって、前記発熱機器の荷重を支持する荷重受部と、吸水性を有するとともに、周囲の空気から熱を吸収して、吸水した水を気化させることにより、周囲の空気の温度を低下させる冷却部とからなり、上部に前記発熱機器が載置されることを特徴とする。
【００１２】
本発明の発熱機器の置台によれば、荷重受部によって発熱機器の荷重を支持することができるとともに、冷却部が吸水した水が周囲の空気から熱を吸収して気化することにより、周囲の空気の温度が下げられる。従って、この温度が下げられた空気によって発熱機器が冷却されることになるので、発熱機器の効率を高めることができる。また、荷重受部と冷却部とからなる置台を設置し、この上部に発熱機器を載置させればよいので、狭隘な設置スペースにも設置することができるとともに、狭隘な設置スペースにおいても周囲の空気の温度を下げて、発熱機器の効率を高めることができる。
【００１３】
また、本発明において、前記荷重受部と前記冷却部とは、交互に設けられるとともに、全体が板状をなすように形成されていることとしてもよい。
【００１４】
本発明の発熱機器の置台によれば、荷重受部と冷却部とは、交互に設けられるとともに、全体が板状をなすように形成されているので、冷却部が吸水した水は、発熱機器の周囲の全体の空気から熱を吸収して気化することになり、発熱機器の周囲の全体の空気の温度を下げることができ、発熱機器の効率を高めることができる。
【００１５】
さらに、本発明において、前記荷重受部は、普通コンクリート、合成樹脂、又は合成ゴムからなることとしてもよい。
【００１６】
本発明の発熱機器の置台によれば、発熱機器の荷重は、普通コンクリート、合成樹脂、又は合成ゴムからなる荷重受部により支持されることになる。
【００１７】
さらに、本発明において、前記冷却部は、ポーラスコンクリートからなることとしてもよい。
【００１８】
本発明の発熱機器の置台によれば、ポーラスコンクリートからなる冷却部によって吸水された水が、発熱機器の周囲の空気から熱を吸収して気化することにより、発熱機器の周囲の空気の温度が下げられ、この温度が下げられた空気によって発熱機器が冷却されるので、発熱機器の効率を高めることができる。
【００１９】
さらに、本発明において、前記発熱機器は、空調装置の室外機であることとしてもよい。
【００２０】
本発明の発熱機器の置台によれば、荷重受部によって室外機の荷重が支持されるとともに、冷却部に吸水した水が室外機の周囲の空気から熱を吸収して気化することにより、室外機の周囲の空気の温度が下げられ、この温度が下げられた空気と室外機の冷媒との間で熱交換が行われることになるので、室外機の効率を高めることができる。
【発明の効果】
【００２１】
以上、説明したように、本発明の発熱機器の置台によれば、荷重受部によって発熱機器の荷重を支持することができるとともに、冷却部が吸水した水が周囲の空気の熱を吸収して気化することにより、周囲の空気の温度が下げられることになり、この温度が下げられた空気により発熱機器が冷却されることになるので、発熱機器の効率を高めることができる。この場合、荷重受部及び冷却部を発熱機器の設置場所に設置し、この荷重受部及び冷却部の上部に発熱機器を設置すればよいので、狭隘な設置スペースにも適用することができるとともに、狭隘なスペースに発熱機器を設置した場合にも、周囲の空気の温度を下げることができて、発熱機器の効率を高めることができ、省エネルギー化を図ることができる。
【図面の簡単な説明】
【００２２】
【図１】本発明による発熱機器の置台の一実施の形態を示した概略図である。
【図２】図１の置台の平面図である。
【図３】図２の正面図である。
【図４】図１の置台の変形例を示した平面図である。
【発明を実施するための形態】
【００２３】
以下、図面を参照しながら本発明の実施の形態について説明する。
図１〜図３には、本発明による発熱機器の置台の一実施の形態が示されている。本発明の発熱機器の置台１は、屋外に設置される各種の発熱機器に適用可能なものであって、本実施の形態においては、空調装置１０の室外機１３の設置に適用している。
【００２４】
空調装置１０は、例えば、室内に設置される室内機１１と、室外（屋外）に設置されるとともに、配管１５を介して室内機１１に接続される室外機１３とを備え、この空調装置１０の室外機１３を屋外に設置するのに本実施の形態の発熱機器の置台１（以下、置台１という。）を使用している。
【００２５】
本実施の形態の置台１は、図１に示すように、室外機１３の荷重を支持する荷重受部２と、室外機１３が設置される設置場所の周囲の空気の温度を低下させる冷却部３とから構成されるものであって、荷重受部２と冷却部３とを交互に配置することにより、全体が板状をなすように構成されている。
【００２６】
荷重受部２は、普通コンクリート、合成樹脂（強化プラスチック等）、合成ゴム等を材料（本実施の形態では普通コンクリート）として、例えば、角柱状に形成されるものであって、本実施の形態においては、同一大きさ、長さ、厚さの２つの荷重受部２を置台１の中央部に間隔をおいて配置し、両荷重受部２、２が室外機１３の両端部の下面側に配置されるように構成している。
【００２７】
なお、本実施の形態においては、置台１の中央部に２つの荷重受部２を配置しているが、３つ以上の荷重受部２を配置してもよい。また、本実施の形態においては、荷重受部２を中実状に形成しているが、中空状に形成してもよいし、上面又は下面の一方の一部に凹部を設けた形状等としてもよい。要は、室外機１３の荷重を安定して支持できる形状、数量であればよい。
【００２８】
冷却部３は、吸水性を有する多孔質材を材料として、例えば、長方形板状に形成されるものであって、本実施の形態においては、３枚の冷却部３が上記の２つの荷重受部２と交互に配置されるように、置台１の両端と中央の３箇所に配置している。冷却部３の多孔質材としては、例えば、ポーラスコンクリート（特開２００７−１９１３２５号公報に記載のポーラスコンクリート等）が挙げられる。但し、これに限定することなく、同様の機能を有する各種の多孔質材を用いることができる。
【００２９】
冷却部３は、荷重受部２と同一長さ、厚さに形成され、３枚の冷却部３と２つの荷重受部２とを交互に組み合わせて長方形板状の置台１を構成した場合に、置台１の上面及び下面がそれぞれ面一になるように構成されている。
【００３０】
冷却部３と荷重支持部２とは、一体に形成してもよいし、別体に形成してもよい。冷却部３と荷重支持部２とを一体に形成するには、例えば、図４に示すように、冷却部３及び荷重支持部２を貫通する一連の孔を設け、この孔内に連結ロッド４を挿通させて、孔から突出させた連結ロッド４の両端にナット５を締め付ける方法等、各種の方法を採用することができる。
【００３１】
また、冷却部３と荷重受部２とを別体にする場合には、３枚の冷却部３と２つの荷重受部２とを交互に配置して、隣接する冷却部３と荷重受部２とを互いに密着させて、置台１の全体が長方形板状をなすように構成すればよい。
なお、この場合には、置台１を設置する場所がコンクリート等によって平滑に形成されているのが好ましい。
【００３２】
冷却部３には、給水源７から水が供給され、この給水源７から供給された水が冷却部３に吸水され、冷却部３の空隙内に保水される。給水源７としては、例えば、水道、雨水タンク、空調装置１０の室内機１１から排出されるドレン水を貯めておくドレンタンク等があり、これらの給水源７から冷却部３に水が供給される。
【００３３】
そして、上記のように構成した本実施の形態の置台１を室外機１３の設置場所に設置し、置台１の上部に室外機１３を載置し、空調装置１０を作動させて、室内機１１と室外機１３との間で配管１５を介して冷媒（例えば、フロン）を循環させることにより、室内を冷房することができる。
【００３４】
具体的には、冷媒を室外機１３内のコンプレッサ（図示せず）で圧縮して高温、高圧の冷媒ガスとし、この高温、高圧の冷媒ガスを室外機１３の熱交換器１４に導いて、熱交換器１４で室外の空気（外気）との間で熱交換を行うことによって凝縮（液化）し、この凝縮した冷媒液を室外機１３内のキャピラリーチューブ（図示せず）を通すことによって圧力を下げて低温の冷媒液とし、この低温の冷媒液を室内機１１の熱交換器１２に導いて、熱交換器１２で室内の空気との間で熱交換を行うことにより気化させる。そして、この気化させた冷媒ガスをコンプレッサに導いて圧縮し、高温、高圧のガスとする。そして、このような循環サイクルを繰り返すことにより、室内を冷房することができる。
【００３５】
この場合、室外機１３は、荷重受部２と冷却部３とからなる置台１の上部に載置され、この置台１の冷却部３には、給水源７から供給された水が保水されているので、この冷却部３に保水された水が室外機１３の周囲の空気の熱を奪って気化することにより、周囲の空気の温度が下げられる。
【００３６】
そして、この温度が下げられた周囲の空気と室外機１３の熱交換器１４を流れる高温、高圧の冷媒ガスとの間で熱交換が行われることにより、高温、高圧の冷媒ガスが凝縮（液化）され、この凝縮された冷媒液がキャビラリーチューブに送られ、キャピラリーチューブを通すことによって圧力が下げられて低温の冷媒液とされ、この低温の冷媒液が室内機１１の熱交換器１２に送られることになる。
【００３７】
従って、室外機１３の熱交換器１４を流れる冷媒ガスの温度と周囲の空気の温度との差を大きくとることができるので、室外機１３の熱交換器１４による熱交換の効率を高めることができ、空調装置１０全体としての効率を高めることができる。
【００３８】
また、置台１の両側と中央の３箇所に冷却部３を配置しているので、置台１の上部に載置される室外機１３の周囲の全体の空気の温度を効率良く下げることができ、室外機１３の熱交換器１４による熱交換の効率を確実に高めることができる。
【００３９】
上記のように構成した本実施の形態の置台１にあっては、室外機１３の荷重を受ける荷重受部２と、吸水性を有する冷却部３とを交互に配置して板状に形成し、この板状の置台１の上部に室外機１３を載置するように構成したので、集合住宅の室外機置場等のように、狭隘な設置スペースにも設置することができる。
【００４０】
また、狭隘な設置スペースに設置した場合にも、冷却部３に保水されている水が室外機１３の周囲の空気から熱を奪って気化することにより、周囲の空気の温度が下げられ、この温度が下げられた空気と室外機１３の熱交換器１４を流れる冷媒ガスとの間で熱交換が行われることになるので、室外機１３の熱交換器１４による熱交換の効率を大幅に高めることができ、空調装置１０全体としての効率を高めることができる。
【００４１】
なお、前記の説明においては、本発明を空調装置１０の室外機１３の設置に適用したが、その他の屋外に設置される各種の発熱機器の設置に本発明を適用してもよいものであり、その場合にも、同様の作用効果を奏する。
【符号の説明】
【００４２】
１  置台
２  荷重受部
３  冷却部
４  連結ロッド
５  ナット
７  給水源
１０  空調装置
１１  室内機
１２  熱交換器
１３  室外機
１４  熱交換器
１５  配管
【図１】
2013032881.tif 000003
【図２】
2013032881.tif 000004
【図３】
2013032881.tif 000005
【図４】
2013032881.tif 000006